(57)【要約】      （修正有）【課題】蚊帳の基本的形態を変えることなく、容易に出入りを行えると共に、蚊帳のその都度の開閉や、移動の手数やそのスペースを確保することから開放される蚊帳を提供する。【解決手段】下ろくろ５の軸部を上ろくろ２内に挿通して係止することにより主骨７Ａ、７Ｂ及び受骨６が拡開し、主骨７Ａ、７Ｂに被覆したシートで囲繞面をドーム状に形成する。上ろくろ２から下ろくろ５の軸部を離脱することにより主骨７Ａ、７Ｂ及び受骨６が縮閉し、シートが折り畳まれる。主骨７Ａ、７Ｂに係止され囲繞面を形成するシートが主骨７Ａ、７Ｂ間の一面において、一つの面を各々の主骨７Ａ、７Ｂ側から伸張した分離シート１０Ａ、１０Ｂで被覆すると共に、分離シート１０Ａ、１０Ｂの先部１０ａ、１０ｂ同士を重合した出入り口１３を形成した。【選択図】図１
0003175694.tif 000002
【実用新案登録請求の範囲】
【請求項１】
下ろくろの軸部を上ろくろ内に挿通して係止することにより主骨及び受骨が拡開し、主骨に被覆したシートで囲繞面をドーム状に形成すること、上ろくろから下ろくろの軸部を離脱することにより主骨及び受骨が縮閉し、シートが折り畳まれること、主骨に係止され囲繞面を形成するシートが主骨間の一面において、一つの面を各々の主骨側から伸張した分離シートで被覆すると共に、分離シートの先部同士を重合した出入り口を形成したことを特徴とする蚊帳。
【請求項２】
分離シートを重合した出入り口が、面の片側に偏って形成されていることを特徴とする請求項１記載の蚊帳。
【請求項３】
一方の分離シートは、伸張する主骨から他方側の主骨に沿う分離シートの上部に先部を係止し、他方の分離シートは伸張する主骨にのみ係止したことを特徴とする請求項２記載の蚊帳。
【請求項４】
出入口を形成する面の主骨間下部に連係紐を渡設したことを特徴とする請求項１乃至３のいずれかに記載の蚊帳。
【請求項５】
連係紐が弾性を有することを特徴とする請求項４記載の蚊帳。
【考案の詳細な説明】
【技術分野】
【０００１】
本考案は蚊帳に関するものである。
【背景技術】
【０００２】
従来の蚊帳には、複数本の主骨と受骨、主骨と受骨の開閉を行うろくろ、及び主骨に被設したシートで形成されているものがある。
そして、ろくろを構成する下ろくろの軸部を上ろくろ内に挿通して係止することにより主骨及び受骨が拡開し、主骨に被覆したシートで囲繞面をドーム状に形成して使用し、また、上ろくろから下ろくろの軸部を離脱することにより主骨及び受骨が縮閉し、シートが折り畳んで始末をしている。
【０００３】
基本的には４本の主骨を上ろくろに拡開時に蚊帳の外周が矩形となるように、上ろくろの鍔部に設けた放射状の溝に、主骨の基端部を針金等を介して配設し、拡開時に蚊帳の外周が矩形となるように取り付けらる。
【０００４】
主骨は可撓性を有する金属又は合成樹脂で断面が円形の細い棒材で構成され、主骨には網目状のカバーが係止して被設されている。
主骨の下端部に露先を嵌着しカバーを掛止するものもある。
【０００５】
一方、下ろくろの鍔部に設けた放射状の溝に一端を針金などを介して主骨に対応する受骨が揺動自在に枢支され、受骨の他端は主骨の上方部にかしめられて固定された継手に回動可能に枢着されている。
【０００６】
また、上ろくろを挿通可能な下ろくろの軸部の上端部に引紐の一端が止着され、引紐の他端は上ろくろを挿通し、つまみに固着されている。
そして、軸部に軸部側方に出入り自在に内装され、上ろくろの頭部の上面に係脱自在なハジキが設けられている。
【先行技術文献】
【特許文献】
【０００７】
【特許文献１】特開２００５−２７８７６３号
【特許文献２】実用新案登録第３１４９２７２号
【考案の概要】
【考案が解決しようとする課題】
【０００８】
上記従来の蚊帳の使用は、引き紐のつまみと引いて、下ろくろの軸部を上ろくろ内に挿通してハジキに係止することにより主骨及び受骨が拡開し、主骨に被覆したシートで囲繞面をドーム状に形成して使用し、不使用時はハジキの係止を外して、上ろくろから下ろくろの軸部を離脱することにより主骨及び受骨が縮閉し、シートが折り畳まれて全体が棒状となって始末されるのである。
【０００９】
しかし、自身で動ける場合の蚊帳の出入りは通常の吊蚊帳と異なりドーム状に整形した状態であるため容易ではない。
特に、乳幼児の場合はおしめの交換や出入りが頻繁であり、抱いたまま蚊帳の開帳や閉塞或いは蚊帳を開帳したまま移動することを強いられる場合もあり、その都度蚊帳の開閉や蚊帳の移動を要求されるのである。
【００１０】
そこで、本考案は従来の蚊帳の基本的形態を変えることなく、容易に出入りを行えると共に、蚊帳のその都度の開閉や、移動の手数やそのスペースを確保することから開放される蚊帳を提供せんとするものである。
【課題を解決するための手段】
【００１１】
本考案に係る請求項１の蚊帳は、下ろくろの軸部を上ろくろ内に挿通して係止することにより主骨及び受骨が拡開し、主骨に被覆したシートで囲繞面をドーム状に形成すること、上ろくろから下ろくろの軸部を離脱することにより主骨及び受骨が縮閉し、シートが折り畳まれること、主骨に係止され囲繞面を形成するシートが主骨間の一面において、一つの面を各々の主骨側から伸張した分離シートで被覆すると共に、分離シートの先部同士を重合した出入り口を形成したことを特徴とするものである。
【００１２】
請求項２の蚊帳は請求項１の考案において、分離シートを重合した出入り口が、面の片側に偏って形成されていることを特徴とするものである。
【００１３】
請求項３の蚊帳は請求項２の考案において、一方の分離シートは、伸張する主骨から他方側の主骨に沿う分離シートの先部を係止し、他方の分離シートは伸張する主骨にのみ係止したことを特徴とするものである。
【００１４】
請求項４の蚊帳は請求項１乃至３の考案において、出入口を形成する面の主骨間下部に連係紐を渡設したことを特徴とするものであり、請求項５の蚊帳は請求項４の考案において、連係紐が弾性を有することを特徴とするものである。
【考案の効果】
【００１５】
請求項１の考案は、主骨に被覆したシートで囲繞面をドーム状に囲繞面を形成するシートが主骨間の一面において、一つの面を各々の主骨側から伸張した分離シートで被覆すると共に、分離シートの先部同士を重合した出入り口を形成したものであるから、シートが分離されていても先部同士が重合して閉じられているため外部との遮断効果を有し、当該重合部の一方の先部又は両方の先部を分け開けば開口して出入口となって利用できる効果を有する。
【００１６】
したがって、ドーム状に開帳した状態で容易に出入りができ、分離シートを分け開いて開口部を形成して出入りすることも、重合部から蚊帳内へ押し進むことでも進入が可能であり、逆方向から行えば、蚊帳から出ることも可能となる効果を得られるのである。
【００１７】
また、重合部から蚊帳内へ手を差し入れ、例えばオムツの交換等の乳幼児の世話を、開帳した蚊帳内に寝かせたまま最小限の開口に抑えてできる効果をも有する。
【００１８】
請求項２の考案は請求項１の効果に加え、分離シートを重合した出入り口が面の片側に偏って形成したため、一方の側の先部を開けば広い開口部又は狭い開口部を選択できることになり、必要に応じた大きさの出入り口を容易に得られる効果を有する。
【００１９】
請求項３の考案は請求項２効果に加え、一方の分離シートは、伸張する主骨から他方側の主骨に沿う分離シートの上部に先部を係止し、他方の分離シートは伸張する主骨にのみ係止した構成としたため、確実に且つ安定した状態で各分離シートを当該面に張設し重合部を形成できる効果を有する。
【００２０】
請求項４の考案は請求項１乃至３効果に加え、出入口を形成する面の主骨間下部に連係紐を渡設したため、出入口を形成する面の主骨間が他の面に被設したシートに引っ張られて開くのを防止すると共に、適正間隔に規制してドーム形状が歪むことなく整形維持する効果を有する。
【００２１】
請求項５の考案は請求項４効果に加え、連係紐が弾性を有するものとしたため、張力を調整できる効果を発揮し、ドーム形状の全体のバランスを適正に保つ効果を有する。
【図面の簡単な説明】
【００２２】
【図１】本考案の蚊帳の実施の一形態を示す正面図である。
【図２】図１のシートのみの平面図である。
【図３】本考案の蚊帳の他の実施の一形態を示す正面図である。
【考案を実施するための形態】
【００２３】
本考案の一実施の形態を図面に基づいて説明する。
開帳した蚊帳１のドーム状の頂部に突出しているのは、上部体及び下部体から成るプラスチック製の上ろくろ２である。
上部体は頭部と、頭部の下部に設けた首部と、首部の下部に設けた鍔部３が一体に形成されて成り、そして頭部の中心部から鍔部３の中心部に貫通孔が設けられ、貫通孔の内周面の一部に螺子溝が設けられている。
【００２４】
下部体は下ろくろ５の軸部が挿通可能な中空軸部と、この中空軸部の下部外周に一体に形成された主骨取り付け用鍔部４から成り、中空軸部の外周面の一部に上部体の貫通孔の螺子溝に螺合する螺子が設けられている。
又、主骨取り付け用鍔部４には可撓性を有する金属、又は合成樹脂で細い棒状に作成された主骨７が、主骨取り付け用鍔部４に設けた放射状溝にその上部を針金等を介して夫々揺動自在に枢着されている。
【００２５】
主骨７には網目状のシート１０張設され、シート１０は主骨７の本数分のシート片が主骨７に沿って縫着１１して連結され、シート１０の上縁で（開帳時のドーム状の頂部）円孔が形成され、この円孔に上ろくろ２の下部体の中空軸部を挿通した後、上部体を下部体に螺合し、シート１０の上縁部を固定している。
円孔の大きさは鍔部３及び主骨取り付け用鍔部４の外径よりも小さく、下部体の中空軸部が挿通できるだけの大きさとなっている。
【００２６】
シート１０の各主骨７に沿った縫着１１部の途中に１〜２箇所設けた布等から成る取り付け用テープ１２を設け、この取り付け用テープ１２はシート片の逢着時にシート片と共にその中央部を一緒に縫い付ける。
そして、この取り付け用テープ１２によりシート１０は主骨７に着脱可能に結び付けて係止される。
【００２７】
従来の蚊帳においては、上記のようにシート１０は各主骨間を一枚のシート片で被設し、隣接するシート片同士を主骨７に沿って逢着１１して連結し、取り付け用テープ１２によりシート１０を主骨７に着脱可能に結び付けて係止している。
しかし、本考案の蚊帳の一面では、シート片を各々の主骨７Ａ、７Ｂ側から伸張した分離シート１０Ａ、１０Ｂで被覆すると共に、分離シート１０Ａ、１０Ｂの先部同士を重合し出入り口１３を形成している。
【００２８】
図１及び図２では一面の中央部に出入り口１３が形成してあり、各々の主骨７Ａ、７Ｂ側から伸張した分離シート１０Ａ、１０Ｂは面の中央を越えた幅を有して重合部を形成している。
すなわち、一方の分離シート１０Ａは主骨７Ａに沿って隣接するシート片１０Ｃと逢着１１すると共に、取り付け用テープ１２により主骨７Ａと数箇所を結着され、上縁部は上ろくろ２の上部体と下部体で挟着され、更に面の中央を越える先方上部１０ａは他方の主骨７Ｂに沿って他方の分離シート１０Ｂと逢着して係止して主骨７Ａ、７Ｂ間に張設されることになる。
【００２９】
他方の分離シート１０Ｂについても対称的に分離シート１０Ａ同様の構成で張設される。
したがって、各主骨７Ａ又は７Ｂの上部では、各分離シート１０Ａ又は１０Ｂと隣接するシート片１０Ｃ又は１０Ｄ、及び中央を越えた他方の分離シート１０Ａ又は１０Ｂの上部１０ａ又は１０ｂが一体に逢着１１されることになる。
【００３０】
また、主骨７Ａ、７Ｂ間の下部には連係紐１４が渡設してあり、出入り口１３を形成したことにより、主骨７Ａ、７Ｂが引っ張られてドーム形状が変形するのを防止し全体の整形作用を為す。
連係用紐１４に各主骨７Ａ、７Ｂ付近の分離シート１０Ａ、１０Ｂの下部を係止し、分離シート１０Ａ、１０Ｂが開かないようにするようにしてもよい。
また、連係紐１４はゴム紐等の伸縮性のあるものが好ましい。
【００３１】
図３は出入り口１３が面の片方に偏って形成した他の実施の形態を示すものであり、一方の分離シート１０Ａは、伸張する主骨７Ａから他方側の主骨７Ｂに沿う分離シート１０Ｂの上部に先方上部１０ａを係止し、他方の分離シート１０Ｂは主骨７Ｂにのみ係止し、伸張する先部が面の中央部にまで至らずに重合部を形成したものである。
【００３２】
尚、受骨取り付け用鍔部４には主骨７の本数に対応した本数の金属製等の受骨６が、受骨取り付け用鍔部４に設けた放射状の溝に、その一端を針金等を介して夫々に揺動自在に枢着され、受骨６の他端は主骨７に回動可能に枢着８してある。
また、上ろくろ２の頭部に係脱自在な弾性係体９が下ろくろ５の上部軸部の側方に突出自在に内装され、一端を下ろくろ５の上部軸部の上端に止着した引き紐１５は、上ろくろ２の貫通孔を挿通して他端を摘み１６に固着してある。
【００３３】
そして、シートの各縫合部の下端周辺に下部を止着した鞘を設け、主骨７の下端部に着脱可能に嵌入したり、シートの裾部にレースなどで縁飾りを設け、この縁飾りを垂らすことで浮いた箇所を塞ぎ、蚊などの侵入を防止することもできる。
図面では拡張時に底辺が長方形となっているが、それ以外に底辺が五角形、六角形等、多角形に任意に形成される。
【符号の説明】
【００３４】
１              蚊帳
２              上ろくろ
３              鍔部
４              主骨取り付け用鍔部
５              下ろくろ
６              受骨
７、７Ａ、７Ｂ  主骨
８              枢着
９              弾性係体
１０            シート
１０Ａ、１０Ｂ  分離シート
１０ａ、１０ｂ  先方上部
１０Ｃ、１０Ｄ  シート片
１１            逢着
１２            取り付け用テープ
１３            出入り口
１４            連係用紐
１５            引き紐
１６            摘み
【図１】
0003175694.tif 000003
【図２】
0003175694.tif 000004
【図３】
0003175694.tif 000005